(57)【要約】【課題】整流盤によって生じる音の音量を低減し、騒音発生を防止することができる電動送風機を提供すること。【解決手段】モータフレーム３２内に収容されたモータＭの回転軸３３に取り付けられた遠心ファン３７と、この遠心ファン３７から放出された空気を整流してモータフレーム３２内へと送り込むための整流盤５０と、遠心ファン３７及び整流盤５０を覆うファンカバー３１とを備え、整流盤５０は、遠心ファン３７の回転面と平行に対向する位置に配置された円板５１と、この円板５１の周縁部から延在された複数の円弧状の放出ブレード（ブレード）５２とを有する電動送風機５０であって、複数の放出ブレード５２を、基端部５７の間隔が不均等になるように配置した。【選択図】図４
2008025440.tif 000002
【特許請求の範囲】
【請求項１】
モータフレーム内に収容されたモータの回転軸に取り付けられた遠心ファンと、この遠心ファンから放出された空気を整流して前記モータフレーム内へと送り込むための整流盤と、前記遠心ファン及び前記整流盤を覆うファンカバーとを備え、
前記整流盤は、前記遠心ファンの回転面と平行に対向する位置に配置された円板と、この円板の周縁部から延在された複数の円弧状のブレードとを有する電動送風機であって、
前記複数のブレードは、基端部の間隔が不均等になるように配置されていることを特徴とする電動送風機。
【請求項２】
前記複数のブレードは、前記円板の前記遠心ファンに対向する対向面から前記回転軸の軸方向に沿って立ち上がる第一ブレードと、前記対向面の裏面から前記回転軸の軸方向に沿って立ち上がる第二ブレードとを有し、
少なくとも前記第一ブレードは、基端部の間隔が不均等になるように配置されていることを特徴とする請求項１に記載の電動送風機。
【発明の詳細な説明】
【技術分野】
【０００１】
本発明は、モータの回転軸に取り付けられた遠心ファンと、この遠心ファンから放出された空気を整流する整流盤等とを備えた電動送風機に関するものである。
【背景技術】
【０００２】
従来から、例えば電気掃除機に搭載されるような、図６に示す電動送風機１が知られている（例えば、特許文献１参照）。
【０００３】
この電動送風機１は、モータケース２内に収容されたモータ３と、このモータ３の回転軸４に取り付けられた遠心ファン５と、この遠心ファン５から放出された空気を整流した後にモータケース２内に送り込むための整流盤６と、遠心ファン５及び整流盤６を覆うファンケース７とを備えている。
【０００４】
ここで、モータ３は、ロータ３Ａと、ステータ３Ｂと、カーボンホルダ３Ｃとを有している。
【０００５】
また、整流盤６は、遠心ファン５の回転面５Ａと平行に対向する位置に配置された円板６Ａと、この円板６Ａの上面（図６において）の周縁部に設けられた複数の円弧状の第一ブレード６Ｂと、この円板６の下面（図６において）の周縁部に設けられた複数の円弧状の第二ブレード６Ｃとを有している。
【０００６】
そして、隣接する第一ブレード６Ｂの間が整流風路となり、隣接する第二ブレード６Ｃの間が戻り風路となっている。
【０００７】
このとき、複数の第一ブレード６Ｂは、図７に示すように、互いに隣接する第一ブレード６Ｂの基端部８の間隔が全て均等になるように設けられている。
【０００８】
すなわち、一つの第一ブレード６Ｂの基端部８と、隣接する第一ブレード６Ｂの基端部８と、円板６Ａの中心Ｏとがなす角度ａ、ｂ、ｃ（図７参照）は、全て同じ角度となっている。
【０００９】
また、図示しないが、複数の第二ブレード６Ｃも、互いに隣接する第二ブレード６Ｃの基端部の間隔が全て均等になるように設けられている。
【００１０】
このような電動送風機１では、モータ３を駆動すると、回転軸４を介して遠心ファン５が回転され、この遠心ファン５の回転により、ファンケース７の中心部の吸気口７Ａから空気が吸入される。
【００１１】
吸気口７Ａから吸入された空気は、遠心ファン５によって中央から外周へと風向きを変えられて放出され、この放出された空気が複数の第一ブレード６Ｂ間の整流風路によって整流されつつファンケース７の外周側へと導かれる。
【００１２】
そして、外側へ導かれた空気は、さらに複数の第二ブレード６Ｃ間の戻り風路によって整流されつつ、再びファンケース７の中心へ向けて導かれ、モータケース２の内部を通ってモータ３を冷却した後に、モータケース２の排気口２Ａから排気される。
【特許文献１】特開２００５−９０３７９号公報
【発明の開示】
【発明が解決しようとする課題】
【００１３】
ところで、上述の電動送風機では、互いに隣接する第一ブレード６Ｂの基端部８の間隔が全て均等になるように設けられているので、全ての整流風路の開口幅が均一になっていた。そのため、各整流風路を通る空気によって生じる風切り音等の音が最大になるときの周波数ｆが全ての整流風路において同一となり、共鳴して大きな音が生じていた（図８参照）。
【００１４】
また、戻り風路においても同様の現象が生じて、大きな音が発生していた。
【００１５】
これにより、電動送風機１を駆動させた際に騒音が発生してしまうという問題があった。
【００１６】
そこで、この発明は、整流盤によって生じる音の音量を低減し、騒音発生を防止することができる電動送風機を提供することを目的としている。
【課題を解決するための手段】
【００１７】
上記課題を解決するために、この発明は、モータフレーム内に収容されたモータの回転軸に取り付けられた遠心ファンと、この遠心ファンから放出された空気を整流して前記モータフレーム内へと送り込むための整流盤と、前記遠心ファン及び前記整流盤を覆うファンカバーとを備え、前記整流盤は、前記遠心ファンの回転面と平行に対向する位置に配置された円板と、この円板の周縁部から延在された複数の円弧状のブレードとを有する電動送風機であって、前記複数のブレードは、基端部の間隔が不均等になるように配置されていることを特徴としている。
【発明の効果】
【００１８】
本発明の電気掃除機によれば、整流盤のブレードの間を空気が通過する際に生じる音が最大になるときの周波数が各ブレードの基端部の間隔に応じて異なり、最大音量時の周波数をばらつかせることができる。
【００１９】
そのため、共鳴して音量が大きくなることを防止し、整流盤によって生じる音の音量を低減して、騒音発生を防止することが可能となる。
【発明を実施するための最良の形態】
【００２０】
以下、この発明に係る電動送風機を実施するための最良の形態を図面に基づいて説明する。
【００２１】
図１に及び図２示す電動送風機３０は、一方端が開口した有底筒状のモータフレーム３２と、このモータフレーム３２内に収容されたモータＭと、このモータＭの回転軸３３に取り付けられた遠心ファン３７と、この遠心ファン３７とモータＭとの間に配置された整流盤５０と、モータフレーム３２の開口に跨った状態でネジ３９で固定されたフレーム４０と、遠心ファン３７及び整流盤５０を覆うと共にモータフレーム３２の開口に取り付けられたファンカバー３１とを備えている。
【００２２】
モータＭは、回転軸３３と、この回転軸３３に固定された回転子３４と、回転子３４に対向すると共にモータフレーム３２に固定された固定子３５と、回転軸３３の下部（図１において）に位置すると共にモータフレーム３２に保持されたブラシユニット３６等とから構成されている。
【００２３】
回転軸３３は、その下部がモータフレーム３２の底壁３２Ａの中心部に形成された凹部３２Ａｂにベアリング４２を介して回転自在に支持され、その上部がフレーム４０の凹部４０ａにベアリング４３を介して回転自在に支持されて取り付けられている。モータフレーム３２の下部（図１において）には排気口３２ａが形成されている。
【００２４】
また、遠心ファン３７は、ベースシュラウド３７ａと、中心に開口３７ｂを有するファンシュラウド３７ｃと、各シュラウド３７ａ，３７ｃ間に位置して開口３７ｂ側から周縁部に向かって螺旋放射状に延びる複数のフィン３７ｄと、ファンシュラウド３７ｃの周縁部全周から立ち上げられた立壁３７ｅとを備えている。
【００２５】
遠心ファン３７は、ベースシュラウド３７ａの上下に位置するワッシャ４４，４５並びにナット４６により回転軸３３の上部に固定され、回転軸３３と一体に回転する。この回転により、ファンカバー３１の上面中心に形成された開口３１ａ及びベースシュラウド３７ａの開口３７ｂから外気を吸引し、この吸引した空気を複数のフィン３７ｄ間から外方へ放出する。
【００２６】
整流盤５０は、図３に示すように、円板５１と、この円板５１の周縁部に形成された複数の円弧状の放出ブレード（第一ブレード）５２と、円板５１を挟んで放出ブレード５２の反対側に形成された複数の円弧状の戻りブレード（第二ブレード）５３とを備えている。
【００２７】
円板５１は、ネジ４７によりフレーム４０に固定されていて、遠心ファン３７の回転面であるベースシュラウド３７ａと平行に対向する位置に配置されている（図１参照）。
【００２８】
各放出ブレード５２は、円板５１の対向面５１ａから回転軸３３の軸方向に沿って立ち上がっており、隣接する放出ブレード５２との間に整流風路５５を形成している。
【００２９】
また、これらの放出ブレード５２は、それぞれの基端部５７の間隔が不均等になるように配置されている。
【００３０】
すなわち、図４に示すように、一つの放出ブレード５２の基端部５７と、隣接する放出ブレード５２の基端部５７と、円板５１の中心Ｏとがなす角度ｘ、ｙ、ｚは、全て異なるようになっている。これにより、複数の整流風路５５の開口幅がそれぞれ異なることとなる。
【００３１】
そして、各放出ブレード５２はこれらの整流風路５５によって、遠心ファン３７から放出された空気を整流しながらファンカバー３１の外周側へと導くようになっている。
【００３２】
また、各戻りブレード５３は、円板５１の対向面５１ａの裏面５１ｂ側から回転軸３３の軸方向に沿って立ち上がっており、隣接する戻りブレード５３との間に戻り風路５６を形成している。
【００３３】
また、これらの戻りブレード５３は、図示しないがそれぞれの基端部の間隔が均等になるように配置されている。これにより、複数の戻り風路５６の開口幅がそれぞれ同一になっている。
【００３４】
そして、各戻りブレード５６はこれらの戻り風路５６によって、ファンカバー３１の外周側へ導かれた空気をファンカバー３１の中心側へと導くようになっている。
【００３５】
次に、上記のように構成される電動送風機３０の作用について説明する。
【００３６】
モータＭが駆動すると、このモータＭの駆動に伴って回転軸３３が回転して遠心ファン３７が回転する。
【００３７】
この遠心ファン３７の回転により、ファンカバー３１の開口３１ａから空気が吸入され、この吸入された空気は遠心ファン３７の複数のフィン３７ｄ間から外方へ放出される。そして、この外方へ放出された空気は、整流盤５０の整流風路５５によって整流されながらファンカバー３１の外周側へと導かれる。
【００３８】
さらに、ファンカバー３１の外周側に導かれた空気は、整流盤５０の戻り風路５６によって整流されながらファンカバー３１の中心側へと導かれる。
【００３９】
そして、この空気は、モータフレーム３２の内部を通ってモータＭを冷却した後、モータフレーム３２の排気口３２ａから排気される。
【００４０】
ここで、整流風路５５を形成する複数の放出ブレード５２は、基端部５７の間隔が不均等になるように配置されているので、複数の整流風路５５の開口幅がそれぞれ異なることとなる。
【００４１】
そのため、これらの整流風路５５を空気が通過する際に生じる風切り音等の音が最大になるときの周波数が、放出ブレード５２の間隔に応じて異なり、最大音量時の周波数をばらつかせることができる。
【００４２】
つまり、図５に模式的に示すように、互いに隣接する基端部５７と円板５１の中心Ｏとでなす角度がｘの場合における最大音量時の周波数をｆ１、角度がｙの場合における最大音量時の周波数をｆ２、角度がｚの場合における最大音量時の周波数をｆ３とすると、ｆ１〜ｆ３は全て異なるので、互いに共鳴することがない。
【００４３】
そのため、各整流風路５５を空気が通過する際に生じる音が共鳴して、音量が大きくなることを防止し、整流盤５０によって生じる音の音量を低減して、騒音発生を防止することが可能となる。
【００４４】
特に、上述の実施の形態では、遠心ファン３７に対向する円板５１の対向面５１ａから立ち上がる放出ブレード５２を不均等に配置している。
【００４５】
そのため、戻り風路５６側よりも生じる音の音量が大きくなる整流風路５５において、音量を低減することができるので、より効果的に騒音発生を防止することができる。
【００４６】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４７】
上述の実施の形態では、複数の放出ブレード５２の基端部５７の間隔のみを不均等に配置したが、これに限らず、複数の戻りブレード５３の基端部の間隔が不均等になるように配置してもよい。
【００４８】
これにより、整流風路５５を空気が通過する際に生じる音と、戻り風路５６を空気が通過する際に生じる音とのそれぞれの音量を低減することができ、騒音の発生をさらに抑制することができる。
【図面の簡単な説明】
【００４９】
【図１】この発明に係る電動送風機の構成を示した半断面図である。
【図２】この発明に係る電動送風機の構成を示した分解斜視図である。
【図３】この発明に係る電動送風機の整流盤の構成を示した斜視図である。
【図４】図３に示す整流盤を上方から見たときの平面図である。
【図５】この発明に係る電動送風機において、整流盤によって発生する音の音量と周波数との関係を模式的に示すグラフである。
【図６】従来の電動送風機の構成を示した半断面図である。
【図７】従来の電動送風機の整流盤の構成を示した斜視図である。
【図８】従来の電動送風機において、整流盤によって発生する音の音量と周波数との関係を模式的に示すグラフである。
【符号の説明】
【００５０】
３０        電動送風機
３１        ファンケース
３２        モータフレーム
３３        回転軸
３７        遠心ファン
５０        整流盤
５１        円板
５２        放出ブレード（ブレード）
５７        基端部
Ｍ          モータ
【図１】
2008025440.tif 000003
【図２】
2008025440.tif 000004
【図３】
2008025440.tif 000005
【図４】
2008025440.tif 000006
【図５】
2008025440.tif 000007
【図６】
2008025440.tif 000008
【図７】
2008025440.tif 000009
【図８】
2008025440.tif 000010